(57)【特許請求の範囲】
【請求項１】
各住戸に設けられた宅内設備と宅外の端末装置とがネットワークを介してサーバに接続され、
前記宅内設備は、主幹ブレーカに流れる電流を計測する主幹電流計測部、当該主幹電流計測部の計測結果に基づいて主幹ブレーカの使用電力量を演算する主幹電力量演算部、および、主幹ブレーカの二次側から分岐した分岐電路にそれぞれ設けられた複数の分岐ブレーカに流れる電流を分岐ブレーカ毎に計測する分岐電流計測部を具備した電流計測ユニットと、
前記分岐電流計測部の計測結果に基づいて分岐ブレーカ毎の使用電力量を演算する分岐電力量演算部、および、当該分岐電力量演算部の演算結果に基づいて分岐ブレーカ毎の電気使用量を含む各種の電気使用量の情報を生成する制御部を具備したエネルギーマネジメントユニットと、
当該エネルギーマネジメントユニットに接続され、電力監視に関わる各種の設定をするための設定手段を具備した端末装置と、
ネットワークを介して前記サーバに接続するためのネットワーク接続部とを備え、
前記サーバは、前記設定手段により設定された各住戸における各種の設定情報を各住戸毎に蓄積し、前記サーバに住戸毎に蓄積された前記設定情報は、対応する住戸の前記エネルギーマネジメントユニットにダウンロード可能であり、ダウンロードされた前記設定情報は、前記エネルギーマネジメントユニットに設けられた記憶手段に記憶されることを特徴とするエネルギーマネジメントシステム。
【請求項２】
前記サーバは、各住戸における前記主幹ブレーカの電気使用量および前記分岐ブレーカ毎の電気使用量の履歴を各住戸毎に蓄積するとともに、蓄積した前記履歴をデータとして前記端末装置に提供することを特徴とする請求項１記載のエネルギーマネジメントシステム。
【請求項３】
前記サーバは、前記データを電子メールにより前記端末装置に提供することを特徴とする請求項２記載のエネルギーマネジメントシステム。
【発明の詳細な説明】
【技術分野】
【０００１】
本発明は、エネルギーマネジメントシステムに関するものである。
【背景技術】
【０００２】
従来より、主幹電路から分岐した分岐電路にそれぞれ介挿された複数の分岐ブレーカの電気使用量を監視する電力監視システムがあった（例えば特許文献１参照）。この電力監視システムは、分電盤とサーバとの間がネットワークを介して接続されており、検出した分岐ブレーカ毎の電気使用量がネットワークを介してサーバに送信され、サーバにおいて蓄積および監視できるようになっている。
【特許文献１】特開２００１−１１２１２３号公報（段落［００２１］−段落［００３１］、及び、第１図）
【発明の開示】
【発明が解決しようとする課題】
【０００３】
上述の特許文献１に示した電力監視システムは、分電盤に設けた各分岐ブレーカの電気使用量の履歴をサーバに蓄積させたものではあるが、複数の分電盤の電気使用量の履歴を一括して管理できるものではなかった。
【０００４】
本発明は上記問題点に鑑みて為されたものであり、その目的とするところは、複数の住戸における分岐ブレーカ毎の電気使用量の履歴を一括管理できるエネルギーマネジメントシステムを提供することにある。
【課題を解決するための手段】
【０００６】
請求項１の発明は、各住戸に設けられた宅内設備と宅外の端末装置とがネットワークを介してサーバに接続され、宅内設備は、主幹ブレーカに流れる電流を計測する主幹電流計測部、当該主幹電流計測部の計測結果に基づいて主幹ブレーカの使用電力量を演算する主幹電力量演算部、および、主幹ブレーカの二次側から分岐した分岐電路にそれぞれ設けられた複数の分岐ブレーカに流れる電流を分岐ブレーカ毎に計測する分岐電流計測部を具備した電流計測ユニットと、分岐電流計測部の計測結果に基づいて分岐ブレーカ毎の使用電力量を演算する分岐電力量演算部、および、当該分岐電力量演算部の演算結果に基づいて分岐ブレーカ毎の電気使用量を含む各種の電気使用量の情報を生成する制御部を具備したエネルギーマネジメントユニットと、当該エネルギーマネジメントユニットに接続され、電力監視に関わる各種の設定をするための設定手段を具備した端末装置と、ネットワークを介してサーバに接続するためのネットワーク接続部とを備え、サーバは、設定手段により設定された各住戸における各種の設定情報を各住戸毎に蓄積し、サーバに住戸毎に蓄積された設定情報は、対応する住戸のエネルギーマネジメントユニットにダウンロード可能であり、ダウンロードされた設定情報は、エネルギーマネジメントユニットに設けられた記憶手段に記憶されることを特徴とする。
【０００９】
請求項２の発明は、サーバは、各住戸における主幹ブレーカの電気使用量および分岐ブレーカ毎の電気使用量の履歴を各住戸毎に蓄積するとともに、蓄積した履歴をデータとして端末装置に提供することを特徴とする。
【００１０】
請求項３の発明は、サーバは、データを電子メールにより前記端末装置に提供することを特徴とする。
【発明の効果】
【００１２】
請求項１の発明によれば、端末装置の設定手段により設定された各種の設定情報を各住戸毎にサーバに蓄積させるので、複数の住戸の上記設定情報を一括管理することができるという効果がある。また、上記設定情報をサーバに蓄積させることによって、各住戸に設けたエネルギーマネジメントユニットは上記設定内容を一時的に蓄積させるメモリ容量を有していればよく、エネルギーマネジメントユニットのメモリ容量を小さくすることができるという効果もある。さらに、各住戸において機器交換や機器をリセットした場合でも、サーバからダウンロードすることで対応する設定情報を容易に取得することができ、さらに設定手段による再設定を省略することができるという効果がある。
【００１５】
請求項２の発明によれば、主幹ブレーカの電気使用量や分岐ブレーカ毎の電気使用量の履歴がデータとして提供されるので、使用者は提供されたデータを用いて表やグラフなどに自由に加工することができ、また表やグラフに加工することによって省エネの達成度合いや推移を検証することができるという効果がある。
【００１６】
請求項３の発明によれば、端末装置に設定されたメールアドレス宛に上記データを含む電子メールを配信することによって、上記データを容易に取得することができ、また端末装置にデータを編集する機能が設けられている場合には、使用者は同じ端末装置を用いてデータを編集することができるという効果がある。
【発明を実施するための最良の形態】
【００１７】
本発明の実施形態を図面に基づいて説明する。
【００１８】
本実施形態のエネルギーマネジメントシステムは、図１に示すように各住戸に設置される宅内設備Ａと宅外の携帯端末ＰＴとをインターネットＮＴ（ネットワーク）を介してセンタ装置ＳＶ（サーバ）に接続して構成され、宅内設備Ａは、宅内に設置される統合管理盤１と、商用電源を供給する電路Ｌｐおよび情報伝送路Ｌｊを介して統合管理盤１に接続されて、統合管理盤１が電力供給、制御並びに監視を行う照明器具、空調機器（エアコン）、床暖房器具、ＩＨ機器などの宅内に設置された複数の電気機器Ｘｍｎ（添え字のｍ、ｎは１以上の整数を示す。ｍ、ｎ＝１，２，…、以下同様。）と、統合管理盤１にＬＡＮケーブルＬｉを介して接続される複数（図では２つ）の端末装置（パーソナル・コンピュータＰＣ並びに表示制御装置ＣＶ等のウェブブラウザ機能を有する端末装置）とを備え、統合管理盤１と端末装置とが汎用の通信プロトコル（ＴＣＰ／ＩＰ、ＨＴＴＰなど）を利用した宅内ネットワークを構成している。
【００１９】
この宅内ネットワークは、１００ＢＡＳＥ−ＴＸ（ＩＥＥＥ  ８０２．３ｕ）規格に準拠したローカルエリアネットワーク（ＬＡＮ）であって、統合管理盤１内においてレイヤ２スイッチやレイヤ３スイッチに相当する後述の統合装置ＴＭに、ネットワーク端末に相当する端末装置（パーソナル・コンピュータＰＣ並びに表示制御装置ＣＶ）などがスター配線で接続されている。また、統合装置ＴＭは、インターネットＮＴに接続するための回線の種類（電話回線、ＣＡＴＶ回線、光ファイバ回線など）に応じたインターネット接続機能を有しており、この統合装置ＴＭを介して宅内ネットワークが外部ネットワークたるインターネットＮＴに接続される。なお、宅内ネットワークを構成する端末装置は、図３に示すようにウェブブラウザ機能を有するネットテレビＴＶなどであってもよく、このネットテレビＴＶはマルチメディアコンセントＭＣを介して統合管理盤１に接続される。
【００２０】
さらに、この宅内ネットワークには、宅外に設置されたセンタ装置ＳＶがインターネットＮＴを介して接続されており、後述するようにインターネットＮＴに接続可能なノート型のパーソナル・コンピュータ、携帯電話機、ＰＤＡ（Ｐｅｒｓｏｎａｌ  Ｄｉｇｉｔａｌ  Ａｓｓｉｓｔａｎｃｅ）などからなるウェブブラウザ機能を有する携帯型の端末装置（携帯端末ＰＴ）とセンタ装置ＳＶとの間でインターネットＮＴを介したデータ通信を行うことにより、例えば、携帯端末ＰＴを使って外出先から宅内電気機器の制御や監視を行うことができる。
【００２１】
センタ装置ＳＶは、ネットワーク機能を有する汎用のコンピュータ装置で構成されており、携帯端末ＰＴからインターネットＮＴを介して送信される統合管理盤１宛てのメッセージや、統合管理盤１から宅内ネットワークに属さない端末装置（例えば、携帯端末ＰＴなど）に宛てて送信されるメッセージを中継する機能を有している。また、センタ装置ＳＶは情報データベースＤＢを備え、この情報データベースＤＢには各住戸における主幹ブレーカＢｓの電気使用量および分岐ブレーカＢｍｎ（ｍ＝１，２，…、ｎ＝１，２，…）毎の電気使用量の履歴が各住戸毎に蓄積されるようになっている。なお、上記電気使用量の履歴は、各住戸において対応する履歴を後述するエネルギーマネジメントユニット３にダウンロードできるようになっているが、ダウンロードの方法については後述する。ここにおいて、上述のようなインターネット接続機能を有する携帯端末ＰＴやセンタ装置ＳＶは従来周知であるから、詳細な構成については説明を省略する。
【００２２】
統合管理盤１は、図１および図２に示すように、外部から住宅に供給される商用電源を一次側に受ける主幹ブレーカＢｓと、主幹ブレーカＢｓの二次側から分岐した電路にそれぞれ介挿される複数（図１では３個のみ表示）の分岐ブレーカＢｍｎ（ｍ＝１，２，…、ｎ＝１，２，…）と、これら主幹ブレーカＢｓおよび分岐ブレーカＢｍｎに流れる電流を計測するための電流計測ユニット２と、電流計測ユニット２から入力される計測データに基づいて使用電力量を演算するエネルギーマネジメントユニット３と、上記の統合装置ＴＭと、電気機器コントローラＣ１とを備えている。そして、各分岐ブレーカＢｍｎを介して分岐された各電路Ｌｐｍｎ（ｍ＝１，２，…、ｎ＝１，２，…）は統合管理盤１外に導出され、各電路Ｌｐｍｎに接続される電気機器Ｘｍｎ（ｍ＝１，２，…、ｎ＝１，２，…）に対して動作電源を供給している。
【００２３】
電流計測ユニット２は、主幹ブレーカＢｓを介して供給されている主幹電力量を定期的に計測する主幹電力計測部２ａと、各分岐ブレーカＢｍｎを流れる分岐電流の値を分岐ブレーカ毎に定期的に計測する分岐電流計測部ＣＴｍｎ（ｍ＝１，２，…、ｎ＝１，２，…）と、主幹ブレーカＢｓの主幹電力および分岐ブレーカＢｍｎ毎の分岐電流の計測データを収集し、収集した計測データを検出情報としてエネルギーマネジメントユニット３に出力する制御部２ｂとを備えている。
【００２４】
主幹電力計測部２ａは、主幹ブレーカＢｓを流れる主幹電流を定期的に計測する主幹電流計測部ＣＴｓと、主幹電流の計測値に基づいて電力量を演算する電力演算部ＥＰＯとを備えており、主幹電流計測部ＣＴｓで計測した主幹電流の計測値を電力演算部ＥＰＯで電力量に変換することによって主幹ブレーカＢｓを介して供給される主幹電力量が演算される。
【００２５】
ここで、分岐ブレーカＢｍｎ毎に設けられた分岐電流計測部ＣＴｍｎ（ｍ＝１，２，…、ｎ＝１，２，…）は、各電路Ｌｐｍｎ（ｍ＝１，２，…、ｎ＝１，２，…）に流れる分岐電流を検出する電流センサ（図示せず）と、電流センサの検出出力に基づいて検出データを生成するセンサユニット（図示せず）とを備えており、さらにセンサユニットでは生成した検出データを伝送用信号に変調して制御部２ｂに出力している。
【００２６】
そして、制御部２ｂでは、センサユニットから入力された伝送用信号を復調して検出データを取り出し、取得した検出データを送信部２ｃから順次エネルギーマネジメントユニット３に送信している。
【００２７】
次に、エネルギーマネジメントユニット３は、上記送信部２ｃより受信した分岐ブレーカＢｍｎ毎の分岐電流の計測データに基づいて、各分岐ブレーカＢｍｎを介して供給されている分岐電力量を演算する演算部３ａと、演算部３ａから入力された主幹電力量および分岐電力量に基づいて、主幹電力量を表す画像データや各分岐電力量を表す画像データなどの表示制御装置ＣＶに表示させる画面データを生成する制御部３ｂとを備えている。ここに、演算部３ａにより使用電力量演算部が構成されている。
【００２８】
上記の制御部３ｂは、電力量検知を行う分岐ブレーカＢｍｎのデータ（分岐ブレーカの名称：分岐１、分岐２、．．．など）を予め格納しており、主幹電力量および分岐電路毎の分岐電力量など各種の電気使用量を表示するための画像データとしてウェブコンテンツ（ウェブページ）を作成し、端末装置ＴＵ（表示制御装置ＣＶやパソコンＰＣや携帯端末ＰＴなど）からの要求に応じて所望のウェブコンテンツを端末装置ＴＵに提供（配信）する機能（ウェブサーバ機能）を有しており、ＬＡＮケーブルを介して統合管理盤１内の統合装置ＴＭや電気機器コントローラＣ１などが接続されている。ここにおいて、制御部３ｂには、分岐ブレーカＢｍｎのデータとして、分岐ブレーカＢｍｎに接続される電気機器の名称やその使用場所の情報が格納されており、空調機器（エアコン）や床暖房設備などの単独回路のために個別に設けた分岐ブレーカの場合には、対応する電気機器の名称が格納される。また、単独回路ではなく不特定の電気機器が接続される可能性のある分岐ブレーカの場合には、各分岐ブレーカに接続される可能性がある電気機器の名称（例えば、照明器具、テレビ、給湯器など）や主たる使用場所が格納されており、ユーザが各分岐ブレーカに接続して使用する可能性が高い電気機器（例えば、ホットカーペットやアイロンなど）の名称およびその使用場所を設定しておくのが好ましい。
【００２９】
また、制御部３ｂは、各分岐ブレーカＢｍｎに接続されている電気機器Ｘｍｎの情報（例えば、使用用途や設置場所や停止時分岐電流など）が予め登録されるとともに、演算部３ａから入力される主幹ブレーカＢｓの主幹電力量および分岐ブレーカＢｍｎ毎の分岐電力量（使用電力量）を時系列で逐次記憶するデータ記憶部３ｄと、端末装置ＴＵ（表示制御装置ＣＶやパソコンＰＣや携帯端末ＰＴなど）から統合装置ＴＭを介して入力される各種の要求信号に応じて、主幹電力量および分岐電路毎の分岐電力量など各種の電気使用量を表示するための画像データを生成し、当該画像データを端末装置ＴＵに送信（配信）する画像データ生成部３ｃとを備えている。
【００３０】
一方、宅内にはリビング、寝室、子供部屋等の複数の部屋Ｒｍ（ｍ＝１，２，…）が設けられており、各部屋Ｒｍにはそれぞれ電気機器Ｘｍｎ（ｍ＝１，２，…、ｎ＝１，２，…）や電気機器が接続されるコンセントなどが設けられている。本実施形態では、図１および図３に示すように、分岐ブレーカＢ１ｎ（ｎ＝１，２，…）には、部屋Ｒ１（例えば、リビング）に設けたエアコンＸ１１やコンセント１０（エアコンＸ１１以外の電気機器であって、部屋Ｒ１内で使用される電気機器が接続されるコンセント）が接続され、対応する電路Ｌｐ１ｎ（ｎ＝１，２，…）を介して電力供給している。また、分岐ブレーカＢ２０には、部屋Ｒ２（例えば、子供部屋）に設けたエアコンＸ２１が接続され、電路Ｌｐ２０を介して電力供給している。さらに、分岐ブレーカＢ３１には、部屋Ｒ３（例えば、寝室）に設けたエアコンＸ３１が接続され、電路Ｌｐ３１を介して電力供給している。また、分岐ブレーカＢ４ｎ（ｎ＝１，２，…）には、部屋Ｒ４（例えば、台所）に設けたエアコンＸ４１や冷蔵庫用のコンセント８が接続され、対応する電路Ｌｐ４ｎ（ｎ＝１，２，…）を介して電力供給している。さらに、分岐ブレーカＢ５１には、部屋Ｒ５（例えば、和室）に設けたコンセント１１（部屋Ｒ５内で使用される電気機器が接続されるコンセント）が接続され、電路Ｌｐ５１を介して電力供給している。また、分岐ブレーカＢｍｎ（ｍ＝６，７，…、ｎ＝１，２，…）には、給湯器１４や床暖房１３や洗濯機用のコンセント９がそれぞれ接続され、対応する電路Ｌｐｍｎ（ｍ＝６，７，…、ｎ＝１，２，…）を介して電力供給している。
【００３１】
次に、統合装置ＴＭは、図１に示すようにＬＡＮケーブル（エンハンスト・カテゴリ５若しくはカテゴリ６のＬＡＮケーブル）を介して、盤内のエネルギーマネジメントユニット３の制御部３ｂや電気機器コントローラＣ１、盤外のパソコンＰＣ、表示制御装置ＣＶが接続されるとともに、インターネットＮＴを通じてセンタ装置ＳＶや、携帯電話機などの携帯端末ＰＴ、または他の端末装置に接続しており、パケット処理機能、経路切換機能、ネットワークセキュリティ機能、ＵＰｎＰ（ユニバーサル・プラグ・アンド・プレイ）のコントロールポイントの機能等を有して、ネットワークにおけるデータ授受をコントロールしている。
【００３２】
また、上述の端末装置ＴＵ（表示制御装置ＣＶやパソコンＰＣや携帯端末ＰＴなど）は、図５のブロック図に示すように統合装置ＴＭとの間でデータの授受を行う送受信部１５と、液晶ディスプレイからなる画像表示部１６と、操作信号を入力するための入力操作部１８と、送受信部１５、画像表示部１６および入力操作部１８などの全体の制御を行う制御部１７とを備えている。ここにおいて、表示制御装置ＣＶの画像表示部１６はタッチパネルからなり、このタッチパネルにより入力操作部１８が構成され、パソコンＰＣや携帯端末ＰＴなどはキーボードやテンキーにより入力操作部１８が構成されている。また、端末装置ＴＵでは、例えば画像表示部１６の表示画面１６ａに表示される図８に示すメニュー画面において、設定画面を表示させるための選択ボタンＢ２０を選択すると、図９（ａ）に示す設定画面が画像表示部１６の表示画面１６ａに表示され、電力監視に関わる各種の設定（例えば、「コントロール設定」、「名称設定」など）ができるようになっている。ここにおいて、当該画面により設定手段が構成されている。なお、上記設定情報は、上述したエネルギーマネジメントユニット３の制御部３ｂのデータ記憶部３ｄに蓄積され、さらにセンタ装置ＳＶの情報データベースＤＢに蓄積されるようになっている。また、センタ装置ＳＶの情報データベースＤＢに蓄積させた上記設定情報は、各住戸において対応する設定情報をエネルギーマネジメントユニット３にダウンロードできるようになっているが、ダウンロードの方法については後述する。
【００３３】
また、図１における電気機器コントローラＣ１は、統合装置ＴＭとのインタフェース機能と、日本電機工業会（ＪＥＭＡ）の統一規格に適合した電気機器Ｘｍｎとのインタフェース機能をそれぞれ有している。この電気機器コントローラＣ１は、統合装置ＴＭを介して端末装置ＴＵから制御要求のメッセージを受け取ったときに、情報伝送路Ｌｊを介して各電気機器Ｘｍｎ（例えば、エアコンや床暖房設備など）を個別に制御して運転と停止を切り換える機能（制御機能）や、統合装置ＴＭを介して端末装置ＴＵから監視要求のメッセージを受け取ったときに、情報伝送路Ｌｊを介して各電気機器Ｘｍｎの動作状態（運転［点灯］又は停止［消灯］）を個別に取得するとともに、制御要求や監視要求に対する応答（各電気機器Ｘｍｎの動作状態）のメッセージを要求メッセージの送信元である端末装置ＴＵに向けて統合装置ＴＭを介して送信させる機能（監視機能）を有する。また、電気機器コントローラＣ１は、自己の配下にある電気機器Ｘｍｎの機器名称情報、部屋Ｒｍの名称情報等を予め格納しており、電気機器Ｘｍｎの名称並びに動作状態を文字や記号で表示するためのウェブコンテンツ（ウェブページ）を作成し、端末装置ＴＵからの要求に応じて当該ウェブコンテンツを端末装置ＴＵに提供（配信）する機能（ウェブサーバ機能）も有している。
【００３４】
ここで、図４は、統合管理盤１内における主幹ブレーカＢｓ、分岐ブレーカＢｍｎ、電流計測ユニット２を構成する制御ユニット（制御部）２ｂ、エネルギーマネジメントユニット３、統合装置ＴＭ等の配置を示している。主幹ブレーカＢｓの右側には、複数の分岐ブレーカＢｍｎが上下２列に配列されるとともに横並びに配置されており、これらの分岐ブレーカＢｍｎの右側には制御ユニット２ｂが配置されている。また、主幹ブレーカＢｓの下部には上述した主幹電力計測部２ａを構成する主幹電力計測センサＳ１が配置され、この主幹電力計測センサＳ１は通信ケーブルＬｉ２（例えば、ＲＳ４８５など）を介して制御ユニット２ｂに接続されており、主幹電力計測センサＳ１で計測した主幹ブレーカＢｓの主幹電力量が通信ケーブルＬｉ２を介して制御ユニット２ｂに入力されるようになっている。
【００３５】
さらに、制御ユニット２ｂの右側には、エネルギーマネジメントユニット３が配置されており、エネルギーマネジメントユニット３の右側には統合装置ＴＭが配置されている。エネルギーマネジメントユニット３は、ＬＡＮケーブルＬｉを介して統合装置ＴＭに接続されるとともに、通信ケーブルＬｉ１（例えば、ＲＳ４８５など）を介して制御ユニット２ｂに接続されており、制御ユニット２ｂの送信部２ｃから送信された主幹ブレーカＢｓの主幹電力および分岐ブレーカＢｍｎ毎の分岐電流の計測データが通信ケーブルＬｉ１を介してエネルギーマネジメントユニット３に入力されるようになっている。
【００３６】
また、本実施形態では、図４に示すように主幹ブレーカＢｓを介して供給される商用電源とは別に、太陽光を利用した太陽電池４から電力供給できるようになっている。この太陽電池４は、多数の太陽電池セル（太陽光からのエネルギーを光電変換し、電気エネルギーに変換する素子）を配列してパネル状としたものであって、直流電源として使用される。太陽電池４で生成された直流電力は、パワーコンディショナ５により交流電力に変換され、連系ブレーカ６と一次分岐ブレーカ７を介して商用電源と連系して負荷に供給される。
【００３７】
次に、各住戸において、エネルギーマネジメントユニット３のデータ記憶部３ｄに蓄積した主幹ブレーカＢｓの電気使用量および分岐ブレーカＢｍｎ毎の電気使用量の履歴をセンタ装置ＳＶに蓄積する（バックアップ）方法、およびセンタ装置ＳＶから各住戸のエネルギーマネジメントユニット３にダウンロードする方法について説明する。図６は本実施形態の表示制御装置ＣＶを立ち上げた際、或いは、途中画面からトップ画面に切り替えた状態で表示画面１６ａに表示される画面の一例を示し、表示画面１６ａの上側には画面の名称（本画面では「省エネモニター」）を示すタイトルバーＴＢが表示され、その右側には電気消費量の表示画面に切り替えるための電気消費量表示ボタンＢ１や、電気機器の使用状態を表示する画面に切り替えるための電気チェックボタンＢ２や、電気使用量の比較結果を表示する画面に切り替えるための比較結果表示ボタンＢ３が表示されている。また、表示画面１６ａの下側には、当日の電気使用量を表示する表示部Ｗ１が配置されるとともに、次ページに移行させるための次ページボタンＢ４や、メニュー画面に移行させるためのメニューボタンＢ５が表示されている。
【００３８】
そして、図６の初期画面において使用者がメニューボタンＢ５を選択すると、表示制御装置ＣＶの制御部１７は、送受信部１５を制御してメニュー画面の表示要求を統合装置ＴＭを介してエネルギーマネジメントユニット３に送信させる。エネルギーマネジメントユニット３では、表示制御装置ＣＶから送信されたメニュー画面の表示要求を受信すると、メニュー画面を表示させるためのウェブページを表示要求の送信元の表示制御装置ＣＶに返送しており、表示制御装置ＣＶにおいて、送受信部１５が受信したウェブページが画像表示部１６の表示画面１６ａに表示される。図７は、表示制御装置ＣＶの画像表示部１６の表示画面１６ａに表示されるメニュー画面の一例を示している。メニュー画面の上側には画面の名称（本画面では「メニュー（１／２）」）を表示するタイトルバーＴＢ１が、画面中央には所望のメニューを選択するためのメニュー選択ボタンＢ６〜Ｂ９が、画面の下側には前ページや次ページに移行させるための前ページボタンＢ１０および次ページボタンＢ１１がそれぞれ表示されている。なお、各々の選択ボタンＢ６〜Ｂ９には対応するメニューの内容を示す文字（「センターサーバ」「省エネモニター」「リモコン」「ネット状態」）がそれぞれ表示されている。
【００３９】
本実施形態のエネルギーマネジメントシステムでは、表示制御装置ＣＶにおいて、画像表示部１６の表示画面１６ａに表示された図７のメニュー画面でセンタ装置ＳＶが提供する画面に切り替えるための選択ボタンＢ６を選択すると、制御部１７が送受信部１５から統合装置ＴＭを介してセンタ装置ＳＶにメニュー画面の表示要求を送信させ、センタ装置ＳＶが統合装置ＴＭを介してメニュー画面の表示要求を受信すると、センタ装置ＳＶは、メニュー画面を表示させるためのウェブページを統合装置ＴＭを介して表示要求の送信元の表示制御装置ＣＶに向けて送信し、表示制御装置ＣＶでは送受信部１５が受信したウェブページが画像表示部１６の表示画面１６ａに表示される。図８は、表示制御装置ＣＶの画像表示部１６の表示画面１６ａに表示されるメニュー画面の一例を示している。メニュー画面の上側には画面の名称（本画面では「メニュー」）を示すタイトルバーＴＢ２が、画面中央には所望のメニューを選択するための選択ボタンＢ１２〜Ｂ２０が、画面の下側には登録サイトのトップページに移行するための移行ボタンＢ２１やホームポータルへ移行するための移行ボタンＢ２２がそれぞれ表示されている。なお、各々の選択ボタンＢ１２〜Ｂ２０には対応するメニューの内容を示す文字（「カメラ」「機器コントロール」「エコ」「設定」など）がそれぞれ表示されている。
【００４０】
ここで、図８の画面で設定画面に切り替えるための選択ボタンＢ２０を選択すると、上述と同様の処理を経て画面表示部１６の表示画面１６ａが図９（ａ）に示す設定画面に切り替えられる。この画面の上側には画面の名称（本画面では「設定」）を示すタイトルバーＴＢ３が、画面中央には所望のメニューを選択するための選択ボタンＢ２３〜Ｂ３０が、画面の下側には上述したメニュー画面（図８に示す画面）に移行するためのメニューボタンＢ３１がそれぞれ表示されている。なお、各々の選択ボタンＢ２３〜Ｂ３０には対応するメニューの内容を示す文字（「コントロール設定」「機器構成確認」「名称設定」「電力データ利用設定」など）がそれぞれ表示されている。
【００４１】
さらに、図９（ａ）の画面で電力データ利用設定画面に切り替えるための選択ボタンＢ２９を選択すると、上述と同様の処理を経て画面表示部１６の表示画面１６ａが図９（ｂ）に示す電力データ利用設定画面に切り替えられる。この画面の上側には画面の名称（本画面では「電力データ利用設定」）を示すタイトルバーＴＢ４が、画面中央には所望のメニューを選択するための選択ボタンＢ３２〜Ｂ３４が、画面の下側には前画面（図９（ａ）に示す画面）に移行するための戻りボタンＢ３５がそれぞれ表示されている。なお、各々の選択ボタンＢ３２〜Ｂ３４には対応するメニューの内容を示す文字（「お預かり同意」「バックアップ」「世帯設定」）がそれぞれ表示されている。
【００４２】
そして、図９（ｂ）の画面において、バックアップ設定画面に切り替えるための選択ボタンＢ３３を選択すると、上述と同様の処理を経て画像表示部１６の表示画面１６ａが図９（ｃ）に示すバックアップ画面に切り替えられる。この画面の上側に画面の名称（本画面では「バックアップ」）を示すタイトルバーＴＢ５が、画面中央には所望のメニューを選択するための選択ボタンＢ３６〜Ｂ３８が、画面の下側には図９（ｂ）の画面に移行するための戻りボタンＢ３９がそれぞれ表示されている。また、選択ボタンＢ３６〜Ｂ３８と戻りボタンＢ３９との間には、前回バックアップを行った日時などを示すメッセージＭ１が表示されている。なお、各々の選択ボタンＢ３６〜Ｂ３８には対応するメニューの内容を示す文字（「自動バックアップ設定」「手動バックアップ実行」「リストア実行」）がそれぞれ表示されている。
【００４３】
次に、図９（ｃ）の画面において、自動バックアップ設定画面に切り替えるための選択ボタンＢ３６を選択すると、上述と同様の処理を経て画像表示部１６の表示画面１６ａが図９（ｄ）に示す自動バックアップ設定画面に切り替えられる。この画面の上側に画面の名称（本画面では「自動バックアップ設定」）を示すタイトルバーＴＢ６が、画面中央には現在設定されているバックアップを行う時間帯（本画面では７：００〜１５：００に設定されている。）を表示する表示部Ｗ２や、バックアップを行う時間帯を切り替えるための時間切替ボタンＢ４０や、バックアップ設定を解除する設定解除ボタンＢ４１が、画面の下側には図９（ｃ）の画面に移行するための戻りボタンＢ４３がそれぞれ表示されている。また、戻りボタンＢ４３の上側には、設定した内容を登録するための登録ボタンＢ４２が表示されている。本実施形態では、時間切替ボタンＢ４０によりバックアップを行う時間帯が７：００〜１５：００と、１５：００〜２３：００との間で切り替えられるようになっており、図９（ｄ）の画面において時間切替ボタンＢ４０を選択すると、バックアップを行う時間帯が１５：００〜２３：００に切り替えられる。その後、登録ボタンＢ４２を選択すると、登録内容の確認画面（図示せず）が画像表示部１６の表示画面１６ａに表示され、さらに確認画面において登録内容を確認した上で、例えば「はい」ボタンを選択すると、設定した内容で登録され、設定したバックアップ時間帯に上述した電気使用量の履歴がセンタ装置ＳＶの情報データベースＤＢに蓄積される。なお、上述したバックアップを行う時間帯は本実施形態に限定されるものではなく、所望の時間帯を設定できるように構成してもよい。
【００４４】
一方、図９（ｄ）に示す画面において、設定解除ボタンＢ４１を選択した後、登録ボタンＢ４２を選択すると、センタ装置ＳＶへの自動バックアップを行わないように設定される。
【００４５】
次に、図９（ｃ）の画面において、手動バックアップを実行するための選択ボタンＢ３７を選択すると、上述と同様の処理を経てバックアップを行うか否かの確認画面（図示せず）が画像表示部１６の表示画面１６ａに表示され、この画面において例えば「はい」ボタンを選択すると、エネルギーマネジメンユニット３のデータ記憶部３ｄに蓄積された電気使用量の履歴がインターネットＮＴを介してセンタ装置ＳＶの情報データベースＤＢに蓄積される。
【００４６】
さらに、図９（ｃ）の画面において、リストア（エネルギーマネジメントユニット３へのダウンロード）を実行するための選択ボタンＢ３８を選択すると、上述と同様の処理を経てリストアを行うか否かの確認画面（図示せず）が画像表示部１６の表示画面１６ａに表示され、この画面において例えば「はい」ボタンを選択すると、センタ装置ＳＶからインターネットＮＴを介してエネルギーマネジメントユニット３に電気使用量の履歴がリストア（ダウンロード）され、データ記憶部３ｄの内容が上記履歴に書き換えられる。
【００４７】
ここで、図１０は、例えば携帯電話機などの携帯端末ＰＴの表示画面１６ａに表示されるバックアップ画面（図９（ｃ）に対応する画面）の一例を示しており、上述した表示制御装置ＣＶと同様の手続処理を経ることで同画面が携帯端末ＰＴの表示画面１６ａに表示される。なお、この画面の上側に画面の名称（本画面では「バックアップ」）を示すタイトルバーＴＢ７が、画面中央には所望のメニューを選択するための選択ボタンＢ４４〜Ｂ４６や、前回バックアップを行った日時などを示すメッセージＭ２が、画面の下側には前画面（図９（ｂ）に相当する画面）に移行するための戻りボタンＢ４７や、メニュー画面（図８に相当する画面）に移行するためのメニューボタンＢ４８がそれぞれ表示されている。また、各々の選択ボタンＢ４４〜Ｂ４６には対応するメニューの内容を示す文字（「自動バックアップ設定」「手動バックアップ実行」「リストア実行」）がそれぞれ表示されている。
【００４８】
また、端末装置ＴＵ（表示制御装置ＣＶやパソコンＰＣやネットテレビＴＶなど）で設定した各種の設定情報についても、例えば図８に示すメニュー画面から複数画面移行させることで上述した電気使用量の履歴と同様に、センタ装置ＳＶに蓄積（バックアップ）したり、センタ装置ＳＶからエネルギーマネジメントユニット３にダウンロードできるようになっている。
【００４９】
而して、本実施形態のエネルギーマネジメントシステムでは、各住戸に設けられたエネルギーマネジメントユニット３のデータ記憶部３ｄに蓄積した主幹ブレーカＢｓの電気使用量および分岐ブレーカＢｍｎ毎の電気使用量の履歴や各種の設定情報を、各住戸毎にセンタ装置ＳＶに蓄積させているので、複数の住戸の上記履歴や設定情報を一括管理することができ、またエネルギーマネジメントユニット３は上記履歴や上記設定情報を一時的に蓄積させるメモリ容量を有していればよく、エネルギーマネジメントユニット３のメモリ容量を小さくすることができる。さらに、接続される電気機器を交換したり、既に接続されている電気機器をリセットした場合でも、センタ装置ＳＶに蓄積した各住戸の電気使用量の履歴や各種の設定情報を、インターネットＮＴを介して対応する住戸のエネルギーマネジメントユニット３にダウンロードすることで、電気使用量の履歴や各種の設定情報を容易に取得することができ、また上述した設定手段による再設定を省略することができる。
【００５０】
なお、本実施形態では、上述の端末装置として表示制御装置ＣＶや携帯端末ＰＴを用いた場合を例に説明したが、端末装置はパソコンＰＣやネットテレビＴＶなどであってもよい。
【００５１】
ここで、本実施形態のエネルギーマネジメントシステムは、センタ装置ＳＶに蓄積させた各住戸の電気使用量（主幹ブレーカＢｓおよび分岐ブレーカＢｍｎ毎の電気使用量）の履歴を、例えばパソコンＰＣなどの端末装置にデータとしてダウンロードできるようになっており、以下に説明する。
【００５２】
使用者が、パソコンＰＣからインターネットＮＴを介してセンタ装置ＳＶに接続し、認証に成功すると、使用者の個人ページがパソコンＰＣの表示画面１６ａに表示される（図８参照）。次に、この画面においてエコ画面に切り替えるための選択ボタンＢ１５を選択すると、上述と同様の処理を経て画像表示部１６の表示画面１６ａが図１１（ａ）に示すエコ画面に切り替えられる。この画面の上側には画面の名称（本画面では「エコ」）を示すタイトルバーＴＢ８が、画面中央には所望のメニューを選択するための選択ボタンＢ４９〜Ｂ５１が、画面の下側にはメニュー画面（図８に示す画面）に移行するためのメニューボタンＢ５２がそれぞれ表示されている。また、選択ボタンＢ４９〜Ｂ５１の右側には、例えば他世帯との電気使用量の比較結果を表示するための表示部Ｗ３が配置されている。なお、各々の選択ボタンＢ４９〜Ｂ５１には対応するメニューの内容を示す文字（「電気チェック」「電気量確認」「データダウンロード」）がそれぞれ表示されている。
【００５３】
さらに、図１１（ａ）に示す画面において、データダウンロード画面に切り替えるための選択ボタンＢ５１を選択すると、上述と同様の処理を経て画像表示部１６の表示画面１６ａが図１１（ｂ）に示すデータダウンロード画面に切り替えられる。この画面の上側には画面の名称（本画面では「データダウンロード」）を示すタイトルバーＴＢ９が、画面中央には集計単位（ダウンロードするデータの集計期間）を選択する選択ボタンＢ５３〜Ｂ５５（本実施形態では、時間、日、月単位で選択）や、回路履歴の表示画面に切り替えるための回路履歴ボタンＢ５６や、ダウンロードするデータのファイル形式を選択する選択ボタンＢ５７、Ｂ５８（本実施形態では、ＣＳＶ形式またはＥＸＣＥＬ形式から選択）が、画面の下側には前画面（図１１（ａ）に示す画面）に移行するための戻りボタンＢ６０がそれぞれ表示されている。また、選択ボタンＢ５８の右側には、データのダウンロードを実行するためのダウンロードボタンＢ５９が表示されている。
【００５４】
そして、選択ボタンＢ５３〜Ｂ５５からダウンロードするデータの集計単位を選択し、さらにデータのファイル形式を選択ボタンＢ５７、Ｂ５８から選択してダウンロードボタンＢ５９を選択すると、上述と同様の処理を経てセンタ装置ＳＶの情報データベースＤＢから各住戸に対応する電気使用量の履歴データが選択した形式でパソコンＰＣにダウンロードされる。
【００５５】
而して、本実施形態のエネルギーマネジメントシステムでは、電気使用量の履歴をデータとして各住戸に提供しているので、使用者は提供されたデータを用いて表やグラフなどに自由に加工することができ、また表やグラフに加工することによって省エネの達成度合いや推移を検証することができる。
【００５６】
また、本実施形態のエネルギーマネジメントシステムでは、センタ装置ＳＶに蓄積した住戸毎の電気使用量の履歴を、パソコンＰＣなどのメールアドレスが設定された端末装置に電子メールとして配信できるようになっている。この場合、上記データを容易に取得することができるとともに、パソコンＰＣが編集機能を有している場合には使用者は同じパソコンＰＣを用いてデータを編集することができる。
【００５７】
なお、本実施形態では、エネルギーマネジメントユニット３や統合装置ＴＭを電流計測ユニット２とともに１つの統合管理盤１内に配置した場合を例に説明したが、エネルギーマネジメントユニット３や統合装置ＴＭを電流計測ユニット２とは別の管理盤として設け、電流計測ユニット２とエネルギーマネジメントユニット３との間を通信ケーブルにより接続するように構成してもよい。
【図面の簡単な説明】
【００５８】
【図１】本実施形態のエネルギーマネジメントシステムの各構成を示すブロック図である。
【図２】同上の各構成を示す別のブロック図である。
【図３】同上の構成を示すシステム図である。
【図４】同上の統合管理盤内の配置図である。
【図５】同上の端末装置のブロック図である。
【図６】同上の端末装置の表示画面の例図である。
【図７】同上の端末装置の表示画面の例図である。
【図８】同上の端末装置の表示画面の例図である。
【図９】（ａ）〜（ｄ）は同上の端末装置の表示画面の例図である。
【図１０】同上の端末装置の表示画面の例図である。
【図１１】（ａ）、（ｂ）は同上の端末装置の表示画面の例図である。
【符号の説明】
【００５９】
２  電流計測ユニット
３  エネルギーマネジメントユニット
３ａ  演算部（分岐電力量演算部）
３ｂ  制御部
Ａ  宅内設備
Ｂｍｎ  分岐ブレーカ
Ｂｓ  主幹ブレーカ
ＣＴｍｎ  分岐電流計測部
ＣＴｓ  主幹電流計測部
ＣＶ  表示制御装置（端末装置）
ＥＰＯ  電力演算部（主幹電力量演算部）
Ｌｐｍｎ  電路
ＮＴ  インターネット（ネットワーク）
ＰＣ  パーソナル・コンピュータ（端末装置）
ＰＴ  携帯端末（宅外の端末装置）
ＳＶ  センタ装置（サーバ）
ＴＭ  統合装置（ネットワーク接続部）
ＴＶ  ネットテレビ（端末装置）
【図１】
0004737186.tif 000002
【図２】
0004737186.tif 000003
【図３】
0004737186.tif 000004
【図４】
0004737186.tif 000005
【図５】
0004737186.tif 000006
【図６】
0004737186.tif 000007
【図７】
0004737186.tif 000008
【図８】
0004737186.tif 000009
【図９】
0004737186.tif 000010
【図１０】
0004737186.tif 000011
【図１１】
0004737186.tif 000012